(57)【要約】【課題】ユーザの経験などによらず適切な順序でユーザに調整処理を画像に施させることができる画質調整装置および画質調整プログラムを提供することを目的とする。【解決手段】画質を調整する複数種類の調整処理について、順次に、調整内容の指示を受けて調整処理を画像に施す調整部と、上記調整内容の指示操作を受ける操作画面を、処理対象の画像が有する特徴に対して予め対応付けられている優先順位に従い提示する順序制御部と、を備える。【選択図】図４
2017146689.tif 000002
【特許請求の範囲】
【請求項１】
画質を調整する複数種類の調整処理について、順次に、調整内容の指示を受けて調整処理を画像に施す調整部と、
前記調整内容の指示操作を受ける操作画面を、処理対象の画像が有する特徴に対して予め対応付けられている優先順位に従い提示する順序制御部と、
を備えたことを特徴とする画質調整装置。
【請求項２】
前記順序制御部が、前記特徴を、前記処理対象の画像全体から得るものであることを特徴とする請求項１記載の画質調整装置。
【請求項３】
前記順序制御部が、前記特徴を、前記処理対象の画像を構成している画像部品のうち選択された画像部品から得るものであることを特徴とする請求項１記載の画質調整装置。
【請求項４】
前記順序制御部が、前記特徴を、前記処理対象の画像中の選択された領域から得るものであることを特徴とする請求項１記載の画質調整装置。
【請求項５】
前記順序制御部が、前記特徴として、画像の明度および彩度の少なくとも一方を指標とした特徴を用いるものであることを特徴とする請求項１から４のいずれか１項記載の画質調整装置。
【請求項６】
前記順序制御部が、前記複数種類の調整処理のうち、前記優先順位で上位に位置する一部の複数の調整処理を実行させるものであることを特徴とする請求項１から５のいずれか１項記載の画質調整装置。
【請求項７】
前記順序制御部が、前記操作画面を、前記優先順位に従った順序で順次に表示するものであることを特徴とする請求項１から６のいずれか１記載の画質調整装置。
【請求項８】
前記順序制御部が、前記操作画面を、前記優先順位に従った順序で重ねて表示するものであることを特徴とする請求項１から６のいずれか１記載の画質調整装置。
【請求項９】
前記順序制御部が、前記操作画面を、前記優先順位に従った順序で並べて表示するものであることを特徴とする請求項１から６のいずれか１記載の画質調整装置。
【請求項１０】
情報処理装置に組み込まれて該情報処理装置を、
画質を調整する複数種類の調整処理について、順次に、調整内容の指示を受けて調整処理を画像に施す調整部と、
前記調整内容の指示操作を受ける操作画面を、処理対象の画像が有する特徴に対して予め対応付けられている優先順位に従い提示する順序制御部と、
を備えた画質調整装置として動作させることを特徴とする画質調整プログラム。
【発明の詳細な説明】
【技術分野】
【０００１】
本発明は、画質調整装置および画質調整プログラムに関する。
【背景技術】
【０００２】
従来、画像データが表す画像の色彩やコントラストなどといった画質を、ユーザによる調整内容の指示に従って調整する調整機能がプリンタドライバなどに組み込まれる場合がある。
【０００３】
例えば特許文献1には、プレビューで調整したいオブジェクトを選択させ、オブジェクトに応じた色調整機能を表示する技術が開示されている。
【先行技術文献】
【特許文献】
【０００４】
【特許文献１】特開平０９−１９８２１７号公報
【発明の概要】
【発明が解決しようとする課題】
【０００５】
一般に、望ましい画質を得るためには複数種類の調整処理を画像に施すが、処理の種類が適切であっても処理の順序が不適切であると望ましい画質を得られない場合がある。また、いろいろな種類の調整処理から適切な順序で調整処理を選択することは、経験の浅いユーザなどには困難である。
【０００６】
本発明は、ユーザの経験などによらず適切な順序でユーザに調整処理を画像に施させることができる画質調整装置および画質調整プログラムを提供することを目的とする。
【課題を解決するための手段】
【０００７】
請求項１に係る画質調整装置は、
画質を調整する複数種類の調整処理について、順次に、調整内容の指示を受けて調整処理を画像に施す調整部と、
上記調整内容の指示操作を受ける操作画面を、処理対象の画像が有する特徴に対して予め対応付けられている優先順位に従い提示する順序制御部と、
を備えたことを特徴とする。
【０００８】
請求項２に係る画質調整装置は、
上記順序制御部が、上記特徴を、上記処理対象の画像全体から得るものであることを特徴とする。
【０００９】
請求項３に係る画質調整装置は、
上記順序制御部が、上記特徴を、上記処理対象の画像を構成している画像部品のうち選択された画像部品から得るものであることを特徴とする。
【００１０】
請求項４に係る画質調整装置は、
上記順序制御部が、上記特徴を、上記処理対象の画像中の選択された領域から得るものであることを特徴とする。
【００１１】
請求項５に係る画質調整装置は、
上記順序制御部が、上記特徴として、画像の明度および彩度の少なくとも一方を指標とした特徴を用いるものであることを特徴とする。
【００１２】
請求項６に係る画質調整装置は、
上記順序制御部が、上記複数種類の調整処理のうち、上記優先順位で上位に位置する一部の複数の調整処理を実行させるものであることを特徴とする。
【００１３】
請求項７に係る画質調整装置は、
上記順序制御部が、上記操作画面を、上記優先順位に従った順序で順次に表示するものであることを特徴とする。
【００１４】
請求項８に係る画質調整装置は、
上記順序制御部が、上記操作画面を、上記優先順位に従った順序で重ねて表示するものであることを特徴とする。
【００１５】
請求項９に係る画質調整装置は、
上記順序制御部が、上記操作画面を、上記優先順位に従った順序で並べて表示するものであることを特徴とする。
【００１６】
請求項１０に係る画質調整プログラムは、
情報処理装置に組み込まれてその情報処理装置を、
画質を調整する複数種類の調整処理について、順次に、調整内容の指示を受けて調整処理を画像に施す調整部と、
上記調整部における調整処理を、処理対象の画像が有する特徴に対して予め対応付けられている優先順位に従った順序で実行させる順序制御部と、
を備えた画質調整装置として動作させることを特徴とする。
【発明の効果】
【００１７】
請求項１に係る画質調整装置および請求項１０に係る画質調整プログラムによれば、ユーザの経験などによらず適切な順序でユーザに調整処理を画像に施させることができる。
【００１８】
請求項２に係る画質調整装置によれば、処理対象の画像に応じた適切な順序で調整処理を画像に施させることができる。
【００１９】
請求項３に係る画質調整装置によれば、選択された画像部品に応じた適切な順序で調整処理を画像に施させることができる。
【００２０】
請求項４に係る画質調整装置によれば、選択された領域に応じた適切な順序で調整処理を画像に施させることができる。
【００２１】
請求項５に係る画質調整装置によれば、画像の色に応じた適切な順序で調整処理を画像に施させることができる。
【００２２】
請求項６に係る画質調整装置によれば、上記複数種類の調整処理のうち、不要な調整処理の実行を回避することができる。
【００２３】
請求項７に係る画質調整装置によれば、順次の表示でない場合に較べ、適切な順序での調整処理の実行が容易である。
【００２４】
請求項８に係る画質調整装置によれば、調整処理の適切な実行順序を操作者が認識することができる。
【００２５】
請求項９に係る画質調整装置によれば、調整処理の適切な実行順序を操作者が認識することができる。
【図面の簡単な説明】
【００２６】
【図１】本発明の実施形態が組み込まれたプリントシステムを示す図である。
【図２】パーソナルコンピュータのハードウェア構成を示す図である。
【図３】プリントシステム１の機能構成を示す機能ブロック図である。
【図４】本発明の画質調整装置の一実施形態の機能構成を示した機能ブロック図である。
【図５】特徴を分析する画像部分の選択を示す図である。
【図６】優先順位データベースの例を示す図である。
【図７】カラーバランス調整用の入力画面を示す図である。
【図８】スクリーン選択用の入力画面を示す図である。
【図９】明度調整用の入力画面を示す図である。
【図１０】プロファイル選択用の入力画面を示す図である。
【図１１】ガンマ補正用の入力画面を示す図である。
【図１２】コントラスト調整用の入力画面を示す図である。
【図１３】彩度調整用の入力画面を示す図である。
【図１４】適切な調整処理の順序の例を示す図である。
【図１５】低線数のスクリーンパターンにおける階調特性の例を示すグラフである。
【図１６】高線数のスクリーンパターンにおける階調特性の例を示すグラフである。
【図１７】本発明にいう操作画面の第１の別例を示す図である。
【図１８】本発明にいう操作画面の第２の別例を示す図である。
【発明を実施するための形態】
【００２７】
本発明の実施形態について、以下図面を参照して説明する。
【００２８】
図１は、本発明の実施形態が組み込まれたプリントシステムを示す図である。
【００２９】
プリントシステム１は、パーソナルコンピュータ１０とプリンタ２０が接続ケーブル３０で接続された構造を有する。そして、パーソナルコンピュータ１０で作成や編集などが行われた文書画像がプリンタ２０で出力される。この文書画像は、構成要素として文字（テキスト）やイラストや写真などを有するものである。
【００３０】
パーソナルコンピュータ１０は外観上、本体１０１とディスプレイ１０２とキーボード１０３とマウス１０４を有している。
【００３１】
図２は、パーソナルコンピュータのハードウェア構成を示す図である。
【００３２】
パーソナルコンピュータ１０の本体１０１には、中央演算処理装置（ＣＰＵ）１１１、ＲＡＭ１１２、ハードディスク装置（ＨＤＤ）１１３、光ディスクドライブ１１５、入出力（ＩＯ）ポート１１６が備えられており、それらはバス１１０で相互に接続されている。
【００３３】
また、図１にも示したディスプレイ１０２、キーボード１０３、およびマウス１０４はバス１１０を介して本体１０１に接続されており、入出力（ＩＯ）ポート１１６には、図示を省略した接続ケーブル３０を介して、図１にも示したプリンタ２０が接続されている。
【００３４】
光ディスクドライブ１１５には、プログラムが記憶された光ディスク１０５が装填され、光ディスクドライブ１１５によって光ディスク１０５がアクセスされる。光ディスク１０５に記憶されたプログラムは、光ディスクドライブ１１５によるアクセスで本体１０１に読み込まれ、ＨＤＤ１１３にインストールされる。そして、そのインストールされたプログラムがＲＡＭ１１２にロードされＣＰＵ１１１で実行されることにより、パーソナルコンピュータ１０は各種の装置として動作する。
【００３５】
本実施形態では、画質調整プログラムの一実施形態が光ディスク１０５に記憶されている。この画質調整プログラムがパーソナルコンピュータ１０にインストールされて実行されることにより、パーソナルコンピュータ１０は画質調整装置の一実施形態として動作する。
【００３６】
図３は、プリントシステム１の機能構成を示す機能ブロック図である。
【００３７】
プリントシステム１は機能としても、パーソナルコンピュータ１０とプリンタ２０が接続した構成となっている。
【００３８】
パーソナルコンピュータ１０には、画像作成ソフト１２１や文書作成ソフト１２２が組み込まれており、これらのソフトウェアをユーザが操作することによって、上述した文書画像が作成される。
【００３９】
このように作成された文書画像をプリンタ２０でプリントするために、パーソナルコンピュータ１０にはプリンタドライバ１３０が組み込まれている。このプリンタドライバ１３０には、プリント設定機能１３１とデータ変換機能１３２と画質調整機能１３３が組み込まれている。なお、本実施形態では、画質調整装置の一実施形態としての機能がプリンタドライバ１３０に組み込まれているものとして以下説明するが、画質調整装置の一実施形態としての機能は、画像作成ソフト１２１や文書作成ソフト１２２に組み込まれてもよい。
【００４０】
プリント設定機能１３１は、プリント枚数やプリント用紙の種類などを設定する機能である。
【００４１】
データ変換機能１３２は、画像作成ソフト１２１や文書作成ソフト１２２によって作成された文書画像の画像データを、プリンタ２０によるプリントに適した形式の画像データに変換する機能である。
【００４２】
画質調整機能１３３は、文書画像の画質を調整する機能であり、この画質調整機能１３３が、本発明の画質調整装置の一実施形態としての機能である。
【００４３】
以下の説明では、この画質調整機能１３３の実行によってパーソナルコンピュータ１０上に画質調整装置の一実施形態が実現するものとして、その画質調整装置について詳細に説明する。
【００４４】
図４は、本発明の画質調整装置の一実施形態の機能構成を示した機能ブロック図である。
【００４５】
画質調整装置１５０は、データ分析部１５１と、優先順位決定部１５２と、入力画面表示部１５３と、調整内容取得部１５４と、画質調整部１５５と、終了確認部１５６を備えている。
【００４６】
データ分析部１５１は、上述した画像作成ソフト１２１や文書作成ソフト１２２で作成された文書画像を表した画像データ２１０を受け取って、その画像データ２１０が表している文書画像の特徴を分析するものである。本実施形態では、画像の特徴の一例として明度および彩度を分析する。また、本実施形態では、文書画像の画像全体を分析対象として画像の特徴を分析する。
【００４７】
ここで、本実施形態に対する別例として、画像の一部を分析対象として選択し画像の特徴を分析する例について説明する。
【００４８】
図５は、特徴を分析する画像部分の選択を示す図である。
【００４９】
図５には文書画像２３０が例示されており、この例では文書画像２３０に構成要素として文字２３１とグラフ２３２と写真２３３を有しているものとする。
【００５０】
図５では、文書画像２３０中に点線で、分析対象として選択された画像部分２３４，２３５が示されている。
【００５１】
分析対象の画像部分を選択する第１の例では、構成要素のひとつがクリック操作などで選択される。その結果、その選択された構成要素の画像部分２３４が分析対象となる。
【００５２】
分析対象の画像部分を選択する第２の例では、文書画像２３０中の任意の領域がドラッグ・アンド・ドロップ操作などで選択される。その結果、その選択された領域の画像部分２３５が分析対象となる。
【００５３】
図４に戻って本実施形態の説明を続ける。
【００５４】
優先順位決定部１５２は、データ分析部１５１によって分析された画像の特徴に基づいて、複数種類の調整処理の優先順位を決定する。優先順位は、予め優先順位データベース１６０として、上述したＨＤＤ１１３や光ディスク１０５などに記憶されており、この優先順位データベース１６０と分析で得られた画像の特徴が照らし合わされて調整処理の優先順位が決定される。ここで、優先順位データベース１６０の例について説明する。
【００５５】
図６は、優先順位データベース１６０の例を示す図である。
【００５６】
図６に示す例では、優先順位データベース１６０には画像の特徴（明度および彩度）が領域名欄１６１に示された４つの領域に分類されて登録されている。また、各領域における明度および彩度の範囲が範囲欄１６２に登録されている。例えば、グレーバランス領域であれば、明度値が６０を超え８０未満の範囲で、彩度値が１０未満の範囲となっている。
【００５７】
このような各領域に分類される画像の特徴に対応付けられて、優先順位欄１６３には、調整処理の優先順位が登録されている。ここに示す例では、７種類の調整処理について優先順位が登録されており、例えばグレーバランス領域に分類される画像の特徴には、カラーバランス調整が１番、スクリーン選択が２番、明度調整が３番、プロファイル選択が４番、ガンマ補正が５番、コントラスト調整が６番、彩度調整が７番、という優先順位が対応付けられている。なお、優先順位欄１６３は、画像の特徴に対して経験則などで適切と知られている優先順位が登録される欄であるが、図６の例は、優先順位を画像の特徴に対応付ける方法を例示したものであって、必ずしも適切な優先順位の例にはなっていない。適切な優先順位の例については後で説明する。
【００５８】
上述した優先順位決定部１５２は、データ分析部１５１による分析で得られた画像の特徴を、範囲欄１６２に登録されている範囲と照らし合わせることで、領域名欄１６１に示された４つの領域の１つに分類する。そして、優先順位決定部１５２は、その分類された領域に対応付けられて優先順位欄１６３に登録されている優先順位を、調整対象の文書画像に対する調整処理の優先順位として決定する。
【００５９】
図４に示す入力画面表示部１５３は、優先順位決定部１５２によって決定された優先順位に従って、上述したディスプレイ１０２上に、調整処理の調整内容を入力する入力画面を表示させる。本実施形態では、１種類の調整処理の調整内容を入力する入力画面が、７種類の調整処理それぞれに用意されており、それらの入力画面が優先順位に従って順次に表示される。この入力画面が、本発明にいう操作画面の一例に相当する。以下、７種類の調整処理それぞれ用の入力画面について説明する。
【００６０】
図７は、カラーバランス調整用の入力画面を示す図である。
【００６１】
カラーバランス調整用の入力画面３１０はプレビュー欄３１１と調整欄３１２を有している。
【００６２】
プレビュー欄３１１には、調整対象の文書画像の縮小版が表示されており、調整欄３１２でユーザが操作して入力した調整内容がプレビュー欄３１１の文書画像に反映される。
【００６３】
カラーバランス調整用の入力画面３１０における調整欄３１２には、４つのプロセス色（ブラック、シアン、マゼンタ、イエロー）のうちバランスを変更するプロセス色を選択する選択欄３１７と、そのプロセス色の増減量を−３〜＋３の範囲で指定する増減欄３１８が備えられている。
【００６４】
また、入力画面３１０には、「次へ」ボタン３１３と「戻る」ボタン３１４とＯＫボタン３１５とキャンセルボタン３１６が設けられている。
【００６５】
「次へ」ボタン３１３が操作されると、調整欄３１２で入力された調整内容が確定し、上述した優先順位で次の調整処理用の入力画面に画面表示が遷移する。一方、「戻る」ボタン３１４が操作されると、調整欄３１２で入力された調整内容が取り消され、優先順位で前の調整処理用の入力画面に画面表示が遷移する。
【００６６】
ＯＫボタン３１５が操作されると、現在までの画質調整で調整処理が終了し、キャンセルボタン３１６が操作されると、すべての画質調整がキャンセルされて最初の文書画像に戻る。
【００６７】
このようなカラーバランス調整用の入力画面３１０の構成は、調整欄３１２を除いて、他の６種類の調整処理用の入力画面と共通する構成である。
【００６８】
図８は、スクリーン選択用の入力画面を示す図である。
【００６９】
スクリーン選択用の入力画面３２０における調整欄３１２には、スクリーン選択欄３２１が設けられている。このスクリーン選択欄３２１は、いわゆるドロップダウンリストであり、リスト中に並んだスクリーンパターンの名称から１つの名称が選択されることでスクリーンパターンが選択される。
【００７０】
図９は、明度調整用の入力画面を示す図である。
【００７１】
明度調整用の入力画面３３０における調整欄３１２には、スライドバー３３１と調整値欄３３２が設けられている。スライドバー３３１が操作されると明度の調整値が調整値欄３３２に表示される。調整値欄３３２には入力操作で明度の調整値を直接入力してもよい。
【００７２】
図１０は、プロファイル選択用の入力画面を示す図である。
【００７３】
プロファイル選択用の入力画面３４０における調整欄３１２には、出力プロファイル選択欄３４１と入力プロファイル選択欄３４２が設けられている。これらの選択欄は、いわゆるドロップダウンリストであり、リスト中に並んだプロファイル名からそれぞれ１つのプロファイル名が選択される。
【００７４】
図１１は、ガンマ補正用の入力画面を示す図である。
【００７５】
ガンマ補正用の入力画面３５０における調整欄３１２には、ガンマ値入力欄３５１が設けられている。このガンマ値入力欄３５１には、ガンマ値が入力される。
【００７６】
図１２は、コントラスト調整用の入力画面を示す図である。
【００７７】
コントラスト調整用の入力画面３６０における調整欄３１２には、スライドバー３６１と調整値欄３６２が設けられている。スライドバー３６１が操作されるとコントラストの調整値が調整値欄３６２に表示される。調整値欄３６２には入力操作でコントラストの調整値を直接入力してもよい。
【００７８】
図１３は、彩度調整用の入力画面を示す図である。
【００７９】
彩度調整用の入力画面３７０における調整欄３１２にも、スライドバー３７１と調整値欄３７２が設けられている。スライドバー３７１が操作されると彩度の調整値が調整値欄３７２に表示される。調整値欄３７２には入力操作で彩度の調整値を直接入力してもよい。
【００８０】
以上説明した入力画面３１０〜３７０が、図４に示す入力画面表示部１５３によってディスプレイ１０２に表示されると、上述したキーボード１０３やマウス１０４といった入力デバイスをユーザが操作することで調整内容が入力される。このように入力された調整内容は、調整内容取得部１５４によって取得され、その調整内容に従った調整処理が画質調整部１５５によって文書画像に施される。また、調整処理が施された文書画像の縮小版が上述したプレビュー欄３１１に表示される。
【００８１】
終了確認部１５６は、入力画面３１０〜３７０の「次へ」ボタン３１３、「戻る」ボタン３１４、ＯＫボタン３１５、およびキャンセルボタン３１６の操作で画質調整の終了や継続を確認するものである。
【００８２】
「次へ」ボタン３１３が操作された場合には、終了確認部１５６は、入力画面表示部１５３に、優先順位で次の調整処理の入力画面の表示を指示する。
【００８３】
「戻る」ボタン３１４が操作された場合には、終了確認部１５６は、入力画面表示部１５３に優先順位で直前の調整処理の入力画面の表示を指示し、画質調整部１５５には、現在表示されている入力画面に入力された調整内容による調整処理の取り消しを指示する。
【００８４】
キャンセルボタン３１６が操作された場合には、終了確認部１５６は、入力画面表示部１５３に優先順位で最初の調整処理の入力画面の表示を指示し、画質調整部１５５には、現在までのすべての調整処理の取り消しを指示する。
【００８５】
ＯＫボタン３１５が操作された場合には、終了確認部１５６は、画質調整の終了と認識し、画質調整部１５５によって調整処理が施された文書画像を表した画像データ２２を出力する。
【００８６】
このように、調整対象の画像の特徴に対応した優先順位（即ちベテランの操作者などによって経験的に適切と考えられている処理順序）で調整処理の入力画面が表示され、調整処理が実行されるので、経験の浅いユーザなどが操作した場合であっても、経験によらず適切な順序による処理結果が得られる。
【００８７】
調整内容取得部１５４と画質調整部１５５とを併せたものが、本発明にいう調整部の一例に相当し、データ分析部１５１と優先順位決定部１５２と入力画面表示部１５３とを併せたものが、本発明にいう順序制御部の一例に相当する。
【００８８】
ここで、適切な調整処理の順序の例について説明する。
【００８９】
図１４は、適切な調整処理の順序の例を示す図である。
【００９０】
ここでは画像の例としてグレーの細線４００がパート（Ａ）に示されている。このような画像は、例えば図３に示すデータ変換機能１３２によってプリンタ用のデータに変換された影響や、あるいは、他のプリントシステム用の画像データが図１に示すプリントシステム１に適用された影響で画質が変化する場合がある。例えば、パート（Ｂ）には、そのような影響で、途切れが生じてイエローの色味が濃くなった線４１０が一例として示されている。図５に示す画質調整装置１５０では、このように変化した画質を、元の画質に近づけるように調整処理が行われる。
【００９１】
パート（Ｃ）とパート（Ｄ）には、適切な処理順序の例として、スクリーン選択の後でカラーバランス調整を行った例が示されている。スクリーン選択で線数の多いスクリーンに変更されることで、パート（Ｃ）に示すように途切れが改善された細線４２０が得られる。その後、カラーバランス調整でイエローの濃度が低減されることで、パート（Ｄ）に示すように途切れが改善されたグレーの細線４３０が得られる。
【００９２】
一方、パート（Ｅ）とパート（Ｆ）には、逆に、カラーバランス調整の後でスクリーン選択を行った例が示されている。カラーバランス調整でイエローの濃度が低減されることで、パート（Ｅ）に示すように途切れが生じたグレーの細線４４０が得られる。その後、スクリーン選択で線数の多いスクリーンに変更されると、パート（Ｆ）に示すように、途切れが改善されるがカラーバランスはグレーからずれた細線４５０が得られる。
【００９３】
このようなカラーバランスのずれは、プリンタにおける階調特性がスクリーンパターン毎に異なることに起因する。
【００９４】
図１５は、低線数のスクリーンパターンにおける階調特性の例を示すグラフであり、図１６は、高線数のスクリーンパターンにおける階調特性の例を示すグラフである。
【００９５】
図１５および図１６に示すグラフの横軸は網点面積率である入力値を表し、縦軸は出力の濃度値を表している。
【００９６】
図１５のグラフの細線５１０は、図１４のパート（Ａ）に示すグレーの細線４００が得られたときの階調特性を表しており、グラフの太線５２０は図１４のパート（Ｂ）に示す線４１０が得られたときの階調特性を表している。このような階調特性の変化によるカラーバランスのズレを修正するためには入力値を修正すればよく、図１４のパート（Ｅ）では、例えば５０％グレーのカラーバランスを再現するために入力値が４０％に修正されている。
【００９７】
一方、図１６に示すグラフの太線５４０は、図１４のパート（Ｃ）に示す細線４２０が得られたときの階調特性を表しており、グラフの細線５３０は、カラーバランスが整っている状態での階調特性を表している。このような階調特性の変化によるカラーバランスのズレを修正して、例えば５０％グレーのカラーバランスを再現するためには、入力値が３０％に修正される必要がある。
【００９８】
図１４のパート（Ｄ）ではこのような入力値修正でカラーバランスが修正されるが、入力値が４０％に修正されている図１４のパート（Ｅ）から図１４のパート（Ｆ）でスクリーンパターンが変更されると、入力値の修正量が不足し、カラーバランスが崩れることになる。
【００９９】
このように、調整処理の順序には適切な順序が存在するが、適切な調整順序は、グレー領域の画像であるか高彩度領域の画像であるかなどといった画像の特徴によって異なることが経験的あるいは分析的に知られている。本実施形態では、上述したように、そのような適切な順序が優先順位として画像の特徴に対応付けられて優先順位データベース１６０に記憶されている。その結果、適切な順序による調整処理が、ユーザの経験度によらず実現されることとなる。
【０１００】
なお、上記実施形態では、１種類の調整処理用の入力画面３１０〜３７０が順次に表示される例が示されているが、本発明にいう操作画面の表示方法としては、以下説明するような別例が考えられる。
【０１０１】
図１７は、本発明にいう操作画面の第１の別例を示す図である。
【０１０２】
第１の別例では、上述した入力画面３１０〜３７０と同様に、プレビュー欄６１１および調整欄６１２を有する複数の入力画面６１０〜６５０が重なった状態で表示される。これらの入力画面６１０〜６５０の重なり順は、上述した優先順位の順となっている。また、この第１の別例では、７種類の調整処理のうち、上位５番目までの調整処理について入力画面６１０〜６５０が表示される。所望の画質を得るためには、調整処理は必ずしも全部が必要ではなく、優先順位の低い調整処理については表示しないことで必要な調整処理に絞られた表示となる。
【０１０３】
各入力画面６１０〜６５０は、上部に突き出したタブの部分では互いに重なっておらず、このタブの並びによって優先順位が認識される。また、タブがクリック操作されることによって調整処理の種類が選択される。
【０１０４】
図１８は、本発明にいう操作画面の第２の別例を示す図である。
【０１０５】
第２の別例では、１つのプレビュー欄７１１に対して複数の調整欄７１２が並べて表示される。調整欄７１２の並び順は上述した優先順位の順となっており、この調整欄７１２の並びによって優先順位が認識される。この第２の別例では、各調整欄７１２が本発明にいう操作画面の一例に相当する。
【０１０６】
なお、上記説明した実施形態は、プリンタで画像をプリントするプリントシステムに組み込まれた例であるが、本発明の画質調整装置は、画像を印刷機で印刷する印刷システムやディスプレイやプロジェクタによって画像を表示する表示システムなどに組み込まれてもよいし、システムに組み込まれない単独の画質調整装置であってもよい。
【０１０７】
また、上記説明した実施形態は、情報処理装置とプログラムによって機能が実現される例であるが、本発明の画質調整装置はハードウェア回路で機能が実現されてもよい。
【０１０８】
また、上記説明した実施形態においては、「画質」とは、画像の質を意味し、色やコントラストやノイズや画素密度などを統合して決まるものであり、上記した画像の特性に限定されるものではない。また、「調整処理」とは、結果として画質が調整される各種の処理を意味し、例えば、色調整やガンマ調整やプロファイル選択やスクリーン選択などであってもよく、これらに限定されるものではない。
【符号の説明】
【０１０９】
１……プリントシステム、  １０……パーソナルコンピュータ、  ２０……プリンタ、  １３０……プリンタドライバ、  １３３……画質調整機能、  １５０……画質調整装置、  １５１……データ分析部、  １５２……優先順位決定部、  １５３……入力画面表示部、  １５４……調整内容取得部、  １５５……画質調整部、  １５６……終了確認部、  １６０……優先順位データベース
【図１】
2017146689.tif 000003
【図２】
2017146689.tif 000004
【図３】
2017146689.tif 000005
【図４】
2017146689.tif 000006
【図５】
2017146689.tif 000007
【図６】
2017146689.tif 000008
【図７】
2017146689.tif 000009
【図８】
2017146689.tif 000010
【図９】
2017146689.tif 000011
【図１０】
2017146689.tif 000012
【図１１】
2017146689.tif 000013
【図１２】
2017146689.tif 000014
【図１３】
2017146689.tif 000015
【図１４】
2017146689.tif 000016
【図１５】
2017146689.tif 000017
【図１６】
2017146689.tif 000018
【図１７】
2017146689.tif 000019
【図１８】
2017146689.tif 000020